(57)【要約】【課題】相手の音声の遅延を気にせずに楽曲のデュエットを行えるようにする。【解決手段】楽曲を歌唱者Ａ（例えば、男性）のみが歌う部分（Ａ）、歌唱者Ｂ（例えば、女性）のみが歌う部分（Ｂ）、歌唱者Ａと歌唱者Ｂが一緒に歌う部分（Ｄ）、誰も歌わない部分（Ｍ）の各部分に分類する。カラオケ装置のそれぞれにおいて、部分（Ａ）および部分（Ｂ）の再生タイミングを、その楽曲を歌う人が担当するパートに応じて調整する。担当するパートが歌唱者Ａが担当するパートであれば、部分（Ａ）の再生タイミングをＬ（ネットワーク遅延時間）／２だけ速め、部分（Ｂ）の再生タイミングをＬ／２だけ遅くする。担当するパートが歌唱者Ｂが担当するパートであれば、部分（Ｂ）の再生タイミングをＬ／２だけ速め、部分（Ａ）の再生タイミングをＬ／２だけ遅くする。【選択図】  図３
2010091794.tif 000002
【特許請求の範囲】
【請求項１】
ネットワークを介して接続された遠隔地のカラオケ装置間で第１の歌唱者が担当するパートと第２の歌唱者が担当するパートとに分かれた楽曲を再生する遠隔デュエット方法において、
前記楽曲を少なくとも第１の歌唱者のみが歌う部分、第２の歌唱者のみが歌う部分、誰も歌わない部分の各部分に分類した部分情報をメモリに記憶させる部分情報記憶ステップと、
前記カラオケ装置のぞれぞれにおいて、前記メモリに記憶されている再生する楽曲の部分情報を読み出し、その楽曲の前記第１の歌唱者のみが歌う部分および前記第２の歌唱者のみが歌う部分の再生タイミングを、その楽曲を歌う人が担当するパートに応じて調整する再生タイミング調整ステップと
を備えることを特徴とする遠隔デュエット方法。
【請求項２】
請求項１に記載された遠隔デュエット方法において、
前記再生タイミング調整ステップは、
前記楽曲を歌う人が担当するパートが前記第１の歌唱者が担当するパートであった場合、前記第１の歌唱者のみが歌う部分の再生タイミングを所定時間だけ速め、前記第２の歌唱者のみが歌う部分の再生タイミングを所定時間だけ遅らせ、
前記楽曲を歌う人が担当するパートが前記第２の歌唱者が担当するパートであった場合、前記第２の歌唱者のみが歌う部分の再生タイミングを所定時間だけ速め、前記第１の歌唱者のみが歌う部分の再生タイミングを所定時間だけ遅らせる
ことを特徴とする遠隔デュエット方法。
【請求項３】
請求項２に記載された遠隔デュエット方法において、
前記再生タイミング調整ステップは、
前記第１の歌唱者のみが歌う部分の再生タイミングと前記第２の歌唱者のみが歌う部分の再生タイミングとの間の再生タイミングの切り替えを前記楽曲の誰も歌わない部分を再生している間に行う
ことを特徴とする遠隔デュエット方法。
【請求項４】
請求項１に記載された遠隔デュエット方法において、
前記部分情報記憶ステップは、
前記楽曲を少なくとも第１の歌唱者のみが歌う部分、第２の歌唱者のみが歌う部分、第１の歌唱者と第２の歌唱者が一緒に歌う部分、誰も歌わない部分の各部分に分類した部分情報をメモリに記憶させ、
前記再生タイミング調整ステップは、
前記楽曲を歌う人が担当するパートが前記第１の歌唱者が担当するパートであった場合、前記第１の歌唱者と第２の歌唱者が一緒に歌う部分の再生タイミングは変化させず、前記第１の歌唱者のみが歌う部分の再生タイミングを所定時間だけ速め、前記第２の歌唱者のみが歌う部分の再生タイミングを所定時間だけ遅らせ、
前記楽曲を歌う人が担当するパートが前記第２の歌唱者が担当するパートであった場合、前記第１の歌唱者と第２の歌唱者が一緒に歌う部分の再生タイミングは変化させず、前記第２の歌唱者のみが歌う部分の再生タイミングを所定時間だけ速め、前記第１の歌唱者のみが歌う部分の再生タイミングを所定時間だけ遅らせる
ことを特徴とする遠隔デュエット方法。
【請求項５】
ネットワークを介して接続された遠隔地のカラオケ装置間で第１の歌唱者が担当するパートと第２の歌唱者が担当するパートとに分かれた楽曲を再生する遠隔デュエットシステムにおいて、
前記楽曲を少なくとも第１の歌唱者のみが歌う部分、第２の歌唱者のみが歌う部分、誰も歌わない部分の各部分に分類した部分情報を記憶するメモリと、
前記カラオケ装置のそれぞれにおいて、前記メモリに記憶されている再生する楽曲の部分情報を読み出し、その楽曲の前記第１の歌唱者のみが歌う部分および前記第２の歌唱者のみが歌う部分の再生タイミングを、その楽曲を歌う人が担当するパートに応じて調整する再生タイミング調整手段と
を備えることを特徴とする遠隔デュエットシステム。
【請求項６】
ネットワークを介して接続された遠隔地のカラオケ装置間で第１の歌唱者が担当するパートと第２の歌唱者が担当するパートとに分かれた楽曲を再生する遠隔デュエットシステムのコンピュータで実行される遠隔デュエットプログラムであって、
前記遠隔デュエットシステムは、
前記楽曲を少なくとも第１の歌唱者のみが歌う部分、第２の歌唱者のみが歌う部分、誰も歌わない部分の各部分に分類した部分情報を記憶するメモリを備え、
前記遠隔デュエットプログラムは、
前記コンピュータに、
前記カラオケ装置のそれぞれにおいて、前記メモリに記憶されている再生する楽曲の部分情報を読み出し、その楽曲の前記第１の歌唱者のみが歌う部分および前記第２の歌唱者のみが歌う部分の再生タイミングを、その楽曲を歌う人が担当するパートに応じて調整する再生タイミング調整手処理
を実行させることを特徴とする遠隔デュエットプログラム。
【請求項７】
ネットワークを介して接続された遠隔地のカラオケ装置間で第１の歌唱者が担当するパートと第２の歌唱者が担当するパートとに分かれた楽曲を再生する遠隔デュエットシステムのコンピュータで実行される遠隔デュエットプログラムを記録した記録媒体であって、
前記遠隔デュエットシステムは、
前記楽曲を少なくとも第１の歌唱者のみが歌う部分、第２の歌唱者のみが歌う部分、誰も歌わない部分の各部分に分類した部分情報を記憶するメモリを備え、
前記遠隔デュエットプログラムは、
前記コンピュータに、
前記カラオケ装置のそれぞれにおいて、前記メモリに記憶されている再生する楽曲の部分情報を読み出し、その楽曲の前記第１の歌唱者のみが歌う部分および前記第２の歌唱者のみが歌う部分の再生タイミングを、その楽曲を歌う人が担当するパートに応じて調整する再生タイミング調整手処理
を実行させることを特徴とする遠隔デュエットプログラムを記録した記録媒体。
【発明の詳細な説明】
【技術分野】
【０００１】
この発明は、ネットワークを介して接続された遠隔地のカラオケ装置間で第１の歌唱者が担当するパートと第２の歌唱者が担当するパートとに分かれた楽曲を再生する遠隔デュエット方法、遠隔デュエットシステム、遠隔デュエットプログラムおよび遠隔デュエットプログラムを記録した記録媒体に関するものである。
【背景技術】
【０００２】
従来より、ネットワークを介して接続された遠隔地のカラオケ装置間で第１の歌唱者が担当するパートと第２の歌唱者が担当するパートとに分かれた楽曲（以下、デュエット曲とも呼ぶ）を再生し、遠隔地の人と一緒にデュエットすることを可能としたカラオケシステムがある（例えば、特許文献１参照）。
【０００３】
このカラオケシステムでは、遠隔地のカラオケ装置を第１のカラオケ装置と第２のカラオケ装置とし、第１のカラオケ装置側で歌う人をＸ、第２のカラオケ装置側で歌う人をＹとした場合、第１のカラオケ装置と第２のカラオケ装置で同じ楽曲が再生される。この場合、第１のカラオケ装置からは、Ｘの歌声のみがネットワークを介して第２のカラオケ装置へ送られ、第２のカラオケ装置で再生される楽曲と合成される。また、第２のカラオケ装置からは、Ｙの歌声のみがネットワークを介して第１のカラオケ装置へ送られ、第１のカラオケ装置で再生される楽曲と合成される。
【０００４】
【特許文献１】特開２００５−９９６５０号公報
【発明の開示】
【発明が解決しようとする課題】
【０００５】
しかしながら、上述した従来のカラオケシステムでは、ネットワークを介して音声信号が送られてくるため、相手側の音声だけが遅延して聞こえ、デュエットしづらいという問題があった。
【０００６】
例えば、第１のカラオケ装置からＸの歌声のみがネットワークを介して伝送されて、第２のカラオケ装置で再生される楽曲と合成される状況を想定する。この場合、デュエット曲を男性と女性の２人で歌うものとし、男性が担当するパートを歌唱者Ａが担当するパート、女性が担当するパートを歌唱者Ｂが担当するパートとした場合、この楽曲は次の４つの部分に分類できる。
(１)歌唱者Ａ（女性）のみが歌う部分（Ａ）
(２)歌唱者Ｂ（男性）のみが歌う部分（Ｂ）
(３)歌唱者ＡとＢが一緒に歌う部分（Ｄ）
(４)誰も歌わない部分（Ｍ）
【０００７】
今、デュエット曲として、図５に示すような各部分に分かれた楽曲を歌うものとする。また、この楽曲において、第１のカラオケ装置側のＸが担当するパートを歌唱者Ａが担当するパートとし、第２のカラオケ装置側のＹが担当するパートを歌唱者Ｂが担当するパートとする。
【０００８】
この場合、第２のカラオケ装置には、第１のカラオケ装置側のＸの音声がネットワークの遅延時間Ｌだけ遅れて届く。このため、第２のカラオケ装置で再生された楽曲に対して、Ｌだけ遅れてＸの音声が再生される。
【０００９】
第２のカラオケ装置において、歌唱者Ａのみが歌う部分（Ａ）が終わった後で、Ｙが歌唱者Ｂのみが歌う部分（Ｂ）や歌唱者ＡとＢが一緒に歌う部分（Ｄ）に移る場合には、遅れて聞こえるＸの歌声と同期が取りづらいため、歌いづらくなってしまう。自分が歌う直前の相手側の音声の遅れは歌いづらさに大きく影響する。なお、双方が歌っている場合には、相手側の音声の遅延はさほど気にならない。
【００１０】
本発明は、このような課題を解決するためになされたもので、その目的とするところは、遠隔地の２者間で、相手側の音声の遅延を気にせずに、支障なく所望の楽曲をデュエットすることが可能な遠隔デュエット方法、遠隔デュエットシステム、遠隔デュエットプログラムおよび遠隔デュエットプログラムを記録した記録媒体を提供することにある。
【課題を解決するための手段】
【００１１】
このような目的を達成するために本発明は、ネットワークを介して接続された遠隔地のカラオケ装置間で第１の歌唱者が担当するパートと第２の歌唱者が担当するパートとに分かれた楽曲を再生する遠隔デュエット方法において、前記楽曲を少なくとも第１の歌唱者のみが歌う部分（Ａ）、第２の歌唱者のみが歌う部分（Ｂ）、誰も歌わない部分（Ｍ）の各部分に分類した部分情報をメモリに記憶させる部分情報記憶ステップと、カラオケ装置のそれぞれにおいて、メモリに記憶されている再生する楽曲の部分情報を読み出し、その楽曲の第１の歌唱者のみが歌う部分（Ａ）および第２の歌唱者のみが歌う部分（Ｂ）の再生タイミングを、その楽曲を歌う人が担当するパートに応じて調整する再生タイミング調整ステップとを設けたものである。
【００１２】
この発明によれば、例えば、カラオケ装置を第１のカラオケ装置と第２のカラオケ装置とし、第１のカラオケ装置側で歌う人をＸ、第２のカラオケ装置側で歌う人をＹとした場合、第１のカラオケ装置ではＸが担当するパートに応じて、再生する楽曲の第１の歌唱者のみが歌う部分（Ａ）および第２の歌唱者のみが歌う部分（Ｂ）の再生タイミングが調整され、第２のカラオケ装置ではＹが担当するパートに応じて、再生する楽曲の第１の歌唱者のみが歌う部分（Ａ）および第２の歌唱者のみが歌う部分（Ｂ）の再生タイミングが調整される。
【００１３】
例えば、第１のカラオケ装置側のＸが担当するパートを第１の歌唱者（例えば、男性）が担当するパートとした場合、第１のカラオケ装置では、第１の歌唱者のみが歌う部分（Ａ）の再生タイミングを所定時間だけ速め、第２の歌唱者のみが歌う部分（Ｂ）の再生タイミングを所定時間だけ遅らせる。また、第２のカラオケ装置側のＹが担当するパートを第２の歌唱者（例えば、女性）が担当するパートとした場合、第２のカラオケ装置では、第２の歌唱者のみが歌う部分（Ｂ）の再生タイミングを所定時間だけ速め、第１の歌唱者のみが歌う部分（Ａ）の再生タイミングを所定時間だけ遅らせる。例えば、第１のカラオケ装置と第２のカラオケ装置との間の音声信号の遅延時間（ネットワーク遅延時間）をＬとした場合、所定時間として、Ｌ／２だけ速めたり、Ｌ／２だけ遅らせたりする。
【００１４】
このようにすると、第１のカラオケ装置では、ＸがＬ／２だけ速いタイミングで第１の歌唱者のみが歌う部分（Ａ）を歌うため、第２のカラオケ装置側に届く音声の遅れはＬ／２で済む。一方、第２のカラオケ装置では、Ｌ／２だけ遅いタイミングで第１の歌唱者のみが歌う部分（Ａ）を再生しているので、第１のカラオケ装置から送られてくるＸの歌声と第２のカラオケ装置で再生される楽曲のずれが解消されて、Ｘの歌声と楽曲とが同期が取れた状態で再生される。
【００１５】
また、第２のカラオケ装置では、ＹがＬ／２だけ速いタイミングで第２の歌唱者のみが歌う部分（Ｂ）を歌うため、第２のカラオケ装置側に届く音声の遅れはＬ／２で済む。一方、第１のカラオケ装置では、Ｌ／２だけ遅いタイミングで第２の歌唱者のみが歌う部分（Ｂ）を再生しているので、第２のカラオケ装置から送られてくるＹの歌声と第１のカラオケ装置で再生される楽曲のずれが解消されて、Ｙの歌声と楽曲とが同期が取れた状態で再生される。
【００１６】
本発明において、第１の歌唱者のみが歌う部分（Ａ）と第２の歌唱者のみが歌う部分（Ｂ）との間の再生タイミングの切り替えは、誰も歌わない部分（Ｍ）を再生している間に行うようにするとよい。例えば、再生タイミングを直線的に変化させたり、２次関数の形で変化させたりして、誰も歌を歌っていないときに、双方の再生速度を気がづかない程度に滑らかに変化させることで、自然に再生タイミングの切り替えを行うようにする。
【００１７】
また、本発明では、少なくとも第１の歌唱者のみが歌う部分（Ａ）、第２の歌唱者のみが歌う部分（Ｂ）、誰も歌わない部分（Ｍ）の各部分に楽曲を分類するものとしたが、一般に、デュエット曲には第１の歌唱者と第２の歌唱者が一緒に歌う部分（Ｄ）も含まれている。このような楽曲に対しては、第１の歌唱者と第２の歌唱者が一緒に歌う部分（Ｄ）も含めて、その楽曲を各部分に分類する。
【００１８】
また、第１の歌唱者と第２の歌唱者が一緒に歌う部分（Ｄ）も含めて各部分に分類する場合、再生タイミング調整ステップでは、楽曲を歌う人が担当するパートが第１の歌唱者が担当するパートであった場合、第１の歌唱者と第２の歌唱者が一緒に歌う部分（Ｄ）の再生タイミングは変化させずに、第１の歌唱者のみが歌う部分（Ａ）の再生タイミングを所定時間だけ速め、第２の歌唱者のみが歌う部分（Ｂ）の再生タイミングを所定時間だけ遅らせる。また、楽曲を歌う人が担当するパートが第２の歌唱者が担当するパートであった場合、第１の歌唱者と第２の歌唱者が一緒に歌う部分（Ｄ）の再生タイミングは変化させずに、第２の歌唱者のみが歌う部分（Ｂ）の再生タイミングを所定時間だけ速め、第１の歌唱者のみが歌う部分（Ａ）の再生タイミングを所定時間だけ遅らせるようにする。この場合、第１のカラオケ装置および第２のカラオケ装置では、第１の歌唱者と第２の歌唱者が一緒に歌う部分（Ｄ）の再生タイミングを変化させないので、相手の声が遅れて聞こえるが、自分も歌っているため相手の声の遅延はさほど気にならない。
【００１９】
なお、本発明は、上述した遠隔デュエット方法を適用した遠隔デュエットシステムとして構成したり、遠隔デュエットシステムで用いられる遠隔デュエットプログラムとして提供することも可能である。また、この遠隔デュエットプログラムを記憶させたフレキシブルディスク、ＣＤ−ＲＯＭ、メモリカードなどの記録媒体としても提供可能である。
【発明の効果】
【００２０】
本発明によれば、ネットワークを介して接続された遠隔地のカラオケ装置間で第１の歌唱者が担当するパートと第２の歌唱者が担当するパートとに分かれた楽曲を再生する際、カラオケ装置のそれぞれにおいて、再生する楽曲の第１の歌唱者のみが歌う部分および第２の歌唱者のみが歌う部分の再生タイミングを、その楽曲を歌う人が担当するパートに応じて調整するようにしたので、例えば、楽曲を歌う人が担当するパートが第１の歌唱者（例えば、男性）が担当するパートであった場合、第１の歌唱者のみが歌う部分の再生タイミングをＬ／２だけ速め、第２の歌唱者のみが歌う部分の再生タイミングをＬ／２だけ遅らせるようにして、また楽曲を歌う人が担当するパートが第２の歌唱者（例えば、女性）が担当するパートであった場合、第２の歌唱者のみが歌う部分の再生タイミングをＬ／２だけ速め、第１の歌唱者のみが歌う部分の再生タイミングをＬ／２だけ遅らせるようにして、遠隔地からの歌唱者のみが歌う部分の音声の遅延を解消して、遠隔地の２者間で、相手側の音声の遅延を気にせずに、支障なく所望の楽曲をデュエットすることが可能となる。
【発明を実施するための最良の形態】
【００２１】
以下、本発明を図面に基づいて詳細に説明する。図１はこの発明に係る遠隔デュエット方法の実施に用いる遠隔デュエットシステムの一例を示す概略図である。
【００２２】
同図において、１−１および１−２は遠隔地に設けられたカラオケ装置であり、カラオケ装置１−１とカラオケ装置１−２とはネットワーク２を介して接続されている。
【００２３】
図２にこの遠隔デュエットシステムで用いるカラオケ装置１（１−１，１−２）の要部の構成図を示す。同図において、１Ａは選曲部、１Ｂは楽曲データベース（以下、楽曲ＤＢと略す）、１Ｃは部分情報データベース（以下、部分情報ＤＢと略す）、１Ｄはずらし関数計算部、１Ｅは再生時刻調整部、１Ｆはスピーカである。
【００２４】
楽曲ＤＢ・１Ｂには各楽曲の音楽データが格納されている。部分情報ＤＢ・１Ｃには、各楽曲について、歌唱者Ａ（この例では、男性）のみが歌う部分（Ａ）、歌唱者Ｂ（この例では、女性）のみが歌う部分（Ｂ）、歌唱者ＡとＢが一緒に歌う部分（Ｄ）、誰も歌わない部分（Ｍ）の情報が部分情報として格納されている。
【００２５】
この例では、部分情報をＰとし、Ｐ＝｛〔ｐ1，ｔ1，ｔ2〕，〔ｐ2，ｔ2，ｔ3〕，〔ｐ3，ｔ3，ｔ4〕，・・・・，〔ｐn，ｔn，ｔn+1〕というような形式で部分情報ＤＢ・１Ｃに格納している。ここで、ｐi＝｛（Ｍ），（Ａ），（Ｂ），（Ｄ）｝（１≦ｉ≦ｎ）であり、〔ｐi，ｔi，ｔi+1〕は時間区間ｔiからｔi+1における部分情報がｐiであることを示す。
【００２６】
選曲部１Ａは、カラオケ装置１で再生する楽曲の曲名を入力とし、その楽曲の音楽データを楽曲ＤＢ・１Ｂから読み出し、再生時刻調整部１Ｅへ送る機能を有している。また、選曲部１Ａは、カラオケ装置１で再生する楽曲の曲名を入力とし、その楽曲の部分情報Ｐを部分情報ＤＢ・１Ｃから読み出し、ずらし関数計算部１Ｄへ送る機能を有している。
【００２７】
ずらし関数計算部１Ｄは、カラオケ装置１で再生する楽曲を歌う人が担当するパートに関する情報（女性パート／男性パート）を入力とし、部分情報ＤＢ・１Ｃから読み出された部分情報Ｐに対して、その楽曲を歌う人が担当するパートに応じて、各部分の再生タイミングを調整するための関数を計算する機能を有している。
【００２８】
例えば、カラオケ装置１−１とカラオケ装置１−２との間の音声信号の遅延時間（ネットワーク遅延時間）をＬとし、時刻ｔにおけるずらし幅をΔＴ（ｔ）とした場合、ずらし関数計算部１Ｄは、その楽曲を歌う人が担当するパートに応じて、ΔＴ（ｔ）を下記の（１）〜（８）式を用いて計算する。
【００２９】
〔担当するパート：歌唱者Ａが担当するパート（男性パート）〕
ΔＴ（ｔ）＝Ｌ／２  ・・・・（１）
（ｉｆ ｐi＝（Ａ） ａｎｄ ｔi≦ｔ≦ｔi+1）
ΔＴ（ｔ）＝−Ｌ／２  ・・・・（２）
（ｉｆ ｐi＝（Ｂ） ａｎｄ ｔi≦ｔ≦ｔi+1）
ΔＴ（ｔ）＝０  ・・・・（３）
（ｉｆ ｐi＝（Ｄ） ａｎｄ ｔi≦ｔ≦ｔi+1）
ΔＴ（ｔ）＝ΔＴ（ｔi）＋〔ΔＴ（ｔi+1）−ΔＴ（ｔi）〕・〔（ｔ−ｔ1）／（ｔ2−ｔ1）〕・・・・（４）
（ｉｆ ｐi＝（Ｍ） ａｎｄ ｔi≦ｔ≦ｔi+1）
【００３０】
〔担当するパート：歌唱者Ｂが担当するパート（女性パート）〕
ΔＴ（ｔ）＝−Ｌ／２  ・・・・（５）
（ｉｆ ｐi＝（Ａ） ａｎｄ ｔi≦ｔ≦ｔi+1）
ΔＴ（ｔ）＝Ｌ／２  ・・・・（６）
（ｉｆ ｐi＝（Ｂ） ａｎｄ ｔi≦ｔ≦ｔi+1）
ΔＴ（ｔ）＝０  ・・・・（７）
（ｉｆ ｐi＝（Ｄ） ａｎｄ ｔi≦ｔ≦ｔi+1）
ΔＴ（ｔ）＝−｛ΔＴ（ｔi）＋〔ΔＴ（ｔi+1）−ΔＴ（ｔi）〕・〔（ｔ−ｔ1）／（ｔ2−ｔ1）〕｝・・・・（８）
（ｉｆ ｐi＝（Ｍ） ａｎｄ ｔi≦ｔ≦ｔi+1）
【００３１】
再生時刻調整部１Ｅは、ずらし関数計算部１Ｄから受け取ったずらし幅ΔＴ（ｔ）に応じて、楽曲ＤＢ・１Ｂから読み出された楽曲データの再生タイミングをずらす機能を有している。
【００３２】
なお、カラオケ装置１において、選曲部１Ａ、ずらし関数計算部１Ｃおよび再生時刻調整部１Ｅは、プログラム（遠隔デュエットプログラム）に従うＣＰＵの処理機能として実現されるが、ハードウェアの回路構成として設けてもよい。また、この場合のプログラムは、フレキシブルディスク、ＣＤ−ＲＯＭ、メモリカードなどの記録媒体に記憶させた状態で提供され、カラオケ装置１にインストールされる。
【００３３】
次に、図３に示すタイミング図を用いて、カラオケ装置１−１，１−２における本実施の形態特有の処理動作について説明する。
【００３４】
図３（ａ）はカラオケ装置１−１，１−２で再生する楽曲の各部分の並びを示す図である。この楽曲では、区間（１），（９）が歌唱者Ａ（男性）のみが歌う部分（Ａ）、区間（２），（４），（６），（８）が誰も歌わない部分（Ｍ）、区間（３），（７）が歌唱者Ｂ（女性）のみが歌う部分（Ｂ）、区間（５）が歌唱者ＡとＢが一緒に歌う部分（Ｄ）とされている。
【００３５】
図３（ｂ）はカラオケ装置１−１側の楽曲の再生タイミングの変化を示す図であり、図３（ｃ）はカラオケ装置１−２側の楽曲の再生タイミングの変化を示す図である。この実施の形態では、カラオケ装置１−１で再生する楽曲を歌う人Ｘが担当するパートを歌唱者Ａが担当するパート（男性パート）とし、カラオケ装置１−２で再生する楽曲を歌う人Ｙが担当するパートを歌唱者Ｂが担当するパート（女性パート）としている。
【００３６】
〔カラオケ装置１−１側〕  
カラオケ装置１−１側において、選曲部１Ａは、カラオケ装置１−１で再生する楽曲の曲名が与えられると、その楽曲の音楽データを楽曲ＤＢ・１Ｂから読み出して、再生時刻調整部１Ｅへ送る。また、その楽曲の部分情報Ｐを部分情報ＤＢ・１Ｃから読み出して、ずらし関数計算部１Ｄへ送る。
【００３７】
ずらし関数計算部１Ｄは、カラオケ装置１−１で再生する楽曲を歌う人Ｘが担当するパートに関する情報（この例では、男性パート）が入力されると、部分情報ＤＢ・１Ｃから読み出された部分情報Ｐに対して、その楽曲を歌う人Ｘが担当するパートに応じて、各部分の再生タイミングを調整するための関数を計算し、この計算した関数を再生時刻調整部１Ｅへ送る。
【００３８】
この場合、歌唱者Ａのみが歌う部分（Ａ）に対しては、上記（１）式に従ってずらし幅ΔＴ（ｔ）＝Ｌ／２とし、再生タイミングをＬ／２だけ速める。歌唱者Ｂのみが歌う部分（Ｂ）に対しては、上記(２)式に従ってずらし幅ΔＴ（ｔ）＝−Ｌ／２とし、再生タイミングをＬ／２だけ遅らせる。
【００３９】
なお、歌唱者ＡとＢが一緒に歌う部分（Ｄ）に対しては、上記(３)式に従ってずらし幅ΔＴ（ｔ）＝０とし、再生タイミングは変化させない。また、誰も歌わない部分（Ｍ）では、上記(４)式に従ってずらし幅ΔＴ（ｔ）を変化させ、再生タイミングを滑らかに変化させる。これにより、図３（ｂ）に示すように、再生タイミングを微妙に変化させながら、楽曲の再生が行われる。
【００４０】
〔カラオケ装置１−２側〕  
カラオケ装置１−２側において、選曲部１Ａは、カラオケ装置１−２で再生する楽曲の曲名が与えられると、その楽曲の音楽データを楽曲ＤＢ・１Ｂから読み出して、再生時刻調整部１Ｅへ送る。また、その楽曲の部分情報Ｐを部分情報ＤＢ・１Ｃから読み出して、ずらし関数計算部１Ｄへ送る。
【００４１】
ずらし関数計算部１Ｄは、カラオケ装置１−２で再生する楽曲を歌う人Ｙが担当するパートに関する情報（この例では、女性パート）が入力されると、部分情報ＤＢ・１Ｃから読み出された部分情報Ｐに対して、その楽曲を歌う人Ｙが担当するパートに応じて、各部分の再生タイミングを調整するための関数を計算し、この計算した関数を再生時刻調整部１Ｅへ送る。この場合、カラオケ装置１−２で再生する楽曲の曲名は、カラオケ装置１−１で再生する楽曲の曲名と同じである。
【００４２】
この場合、歌唱者Ａのみが歌う部分（Ａ）に対しては、上記（５）式に従ってずらし幅ΔＴ（ｔ）＝−Ｌ／２とし、再生タイミングを−Ｌ／２だけ遅らせる。歌唱者Ｂのみが歌う部分（Ｂ）に対しては、上記(６)式に従ってずらし幅ΔＴ（ｔ）＝Ｌ／２とし、再生タイミングをＬ／２だけ速める。
【００４３】
なお、歌唱者ＡとＢが一緒に歌う部分（Ｄ）に対しては、上記(７)式に従ってずらし幅ΔＴ（ｔ）＝０とし、再生タイミングは変化させない。また、誰も歌わない部分（Ｍ）では、上記(８)式に従ってずらし幅ΔＴ（ｔ）を変化させ、再生タイミングを滑らかに変化させる。これにより、図３（ｃ）に示すように、再生タイミングを微妙に変化させながら、楽曲の再生が行われる。
【００４４】
この実施の形態において、カラオケ装置１−１側では、ＸがＬ／２だけ速いタイミングで歌唱者Ａのみが歌う部分（Ａ）を歌うため、カラオケ装置１−２側に届く音声の遅れはＬ／２で済む。一方、カラオケ装置１−２側では、Ｌ／２だけ遅いタイミングで歌唱者Ａのみが歌う部分（Ａ）を再生しているので、カラオケ装置１−１から送られてくるＸの歌声とカラオケ装置１−２で再生される楽曲のずれが解消されて、Ｘの歌声と楽曲とが同期が取れた状態で再生される。
【００４５】
また、カラオケ装置１−２側では、ＹがＬ／２だけ速いタイミングで歌唱者Ｂのみが歌う部分（Ｂ）を歌うため、カラオケ装置１−１側に届く音声の遅れはＬ／２で済む。一方、カラオケ装置１−１では、Ｌ／２だけ遅いタイミングで歌唱者Ｂのみが歌う部分（Ｂ）を再生しているので、カラオケ装置１−２から送られてくるＹの歌声とカラオケ装置１−１で再生される楽曲のずれが解消されて、Ｙの歌声と楽曲とが同期が取れた状態で再生される。
【００４６】
なお、この実施の形態において、カラオケ装置１−１およびカラオケ装置１−２では、歌唱者Ａと歌唱者Ｂが一緒に歌う部分（Ｄ）の再生タイミングを変化させないので、相手の声が遅れて聞こえるが、自分も歌っているため相手の声の遅延はさほど気にならない。
【００４７】
また、この実施の形態において、歌唱者Ａのみが歌う部分（Ａ）と歌唱者Ｂのみが歌う部分（Ｂ）との間の再生タイミングの切り替えや歌唱者Ｂのみが歌う部分（Ｂ）と歌唱者ＡとＢが一緒に歌う部分（Ｄ）との間の再生タイミングの切り替えなど、分類が異なる部分間の再生タイミングの切り替えは、誰も歌わない部分（Ｍ）を再生している間に滑らかに行われる。これにより、双方の再生速度が気がづかない程度に滑らかに変化され、自然に再生タイミングの切り替えが行われるようになる。
【００４８】
以上のように、本実施の形態によれば、双方が歌っている場合には相手側の音声の遅延がさほど気にならず、自分が歌う直前の相手側の音声の遅れは歌いづらさに大きく影響するという特性を利用して、遠隔地からの歌唱者のみが歌う部分の音声の遅延を解消して、遠隔地の２者間で、相手側の音声の遅延を気にせずに、支障なく所望の楽曲をデュエットすることができるようになる。
【００４９】
なお、上述した例では、誰も歌わない部分（Ｍ）において再生タイミングを直線的に変化させるようにしたが、図４に示すように、ΔＴ（ｔ）を２次関数とし、再生タイミングを２次関数の形で変化させるようにしてもよい。２次関数の形で変化させるようにした方が、より自然に再生タイミングを調整することができるので、違和感なく楽曲をデュエットすることができる。
【００５０】
また、本実施の形態において、ずらし関数計算部１Ｄは、予め１曲全体に対してずらし関数を計算して再生時刻調整部１Ｅで再生タイミングを調整してもよいし、各時刻におけるずらし関数を逐次的に計算して、再生時刻調整部１Ｅでの再生タイミングを調整するようにしてもよい。
【００５１】
また、分類が異なる部分間の再生タイミングの切り替えは、必ずしも誰も歌わない部分（Ｍ）の区間内のみで行わなくてもよく、その区間に入る直前の区間の終端の声を伸ばしている部分を含むようにしてもよい。このようにすることで、再生タイミングの切り替えに使える時間が増えるので、緩やかに再生タイミングを変化させることができ、より自然に再生タイミングを切り替えることができるようになる。
【００５２】
また、本実施の形態において、カラオケ装置１−１とカラオケ装置１−２との間の音声信号の遅延時間（ネットワーク遅延時間）Ｌは、ネットワーク、楽曲や音声データの送受信や再生時に用いられるエンコーダ，デコーダ等の遅延の合計である。遅延時間は、利用するネットワークに応じて予め与えておいてもよいし、遅延時刻を算出する装置によって、逐次的に算出するようにしてもよい。
【００５３】
また、本実施の形態では、説明を分かり易くするために、歌唱者Ａを男性、歌唱者Ｂを女性としたが、歌唱者Ａ，Ｂは男性／女性に限られるものではない。
【図面の簡単な説明】
【００５４】
【図１】本発明に係る遠隔デュエット方法の実施に用いる遠隔デュエットシステムの一例を示す概略図である。
【図２】この遠隔デュエットシステムで用いるカラオケ装置の要部を示す構成図である。
【図３】ネットワークを介して接続されたカラオケ装置それぞれでの楽曲の再生タイミングの変化を示す図である。
【図４】誰も歌わない部分において再生タイミングを２次関数の形で変化させるようにした例を示す図である。
【図５】デュエット曲として歌われる楽曲の各部分の並びを例示する図である。
【符号の説明】
【００５５】
１（１−１，１−２）…カラオケ装置、２…ネットワーク、１Ａ…選曲部、１Ｂ…蓄積ＤＢ、１Ｃ…部分情報ＤＢ、１Ｄ…ずらし関数計算部、１Ｅ…再生時刻調整部、１Ｆ…スピーカ、Ｘ，Ｙ…歌う人。
【図１】
2010091794.tif 000003
【図２】
2010091794.tif 000004
【図３】
2010091794.tif 000005
【図４】
2010091794.tif 000006
【図５】
2010091794.tif 000007